(57)【要約】  【目的】レーザ光源のパワー制御をＡＰＣで行う光ディスク装置における周辺温度の急激な変化等によるレーザ光源の過剰発光を防止する。  【構成】フォトダイオード５の出力をＩ／Ｖ変換し、サンプルホールド回路７、ＬＰＦ８とＡＤ変換回路９を経てデジタルデータ化し、比較回路１０がパワーモニター値αと目標値βとの差分値δを求め、補償回路１１が差分値δを用いてＬＤ駆動回路１の制御データを生成出力してパワー制御するが、メモリ２３に格納した温度特性を含むＬＤ特性データや、ＬＤ駆動回路１内のＶ−Ｉ変換抵抗、ＤＡ変換回路１２の間口を決めるリファレンス電圧値等と、温度センサ２１による温度データを基に、リミット値生成回路２２で周辺温度に対応したリミット値Ｌを生成し、該リミット値Ｌを基にデータ制限回路２０でＤＡ変換回路１２に送るリミッタ付きデジタルデータを生成することで急激な温度変化による過剰発光を抑制する。【選択図】  図１
2006209823.tif 000002
【特許請求の範囲】
【請求項１】
レーザ光を用いて光ディスクに情報の記録／再生を行う光ディスク装置におけるレーザ光源の発光光量を電流値として検出する光検出手段と、
前記検出電流値を電圧値に変換する電流−電圧変換手段と、
前記電圧値を一定期間保持するサンプルホールド手段と、
サンプルホールドされた電圧値をデジタル値に変換してレーザパワーモニター値を求めるＡＤ変換手段と、
前記レーザパワーモニター値と予め設定されたレーザパワー目標値とを比較してその差分値を求める比較手段と、
前記差分値をエラー情報として制御データを生成する制御データ生成手段と、
前記制御データを電圧値に変換するＤＡ変換手段と、
前記電圧値をレーザ制御電流に変換し、前記レーザ光源を駆動するレーザ光源駆動手段と、を有するフィードバックループを備え、前記レーザ光源の発光量を制御するレーザパワー制御装置において、
前記レーザ光源の電流−光パワー特性のパラメータ又は前記電圧値をレーザ制御電流に変換するためのパラメータの少なくとも１つを予め格納しておくメモリ手段と、
前記光ディスク装置内の温度を取得する温度取得手段と、
前記メモリ手段及び温度取得手段から入力されたデータを基に、前記レーザ光源の許容最大入力電流値より大きなレーザ制御電流値を発生させることのないようにリミット値を生成するリミット値生成手段と、
前記制御データと予め設定されたデータとを加算した最大レーザ制御データが、前記リミット値生成手段から入力されたリミット値を超えないように制御するデータ制限手段と、
を具備することを特徴とする光ディスク装置のレーザパワー制御装置。
【請求項２】
請求項１に記載の光ディスク装置のレーザパワー制御装置においてレーザパワー制御するためにコンピュータを、
前記レーザパワーモニター値と予め設定されたレーザパワー目標値とを比較してその差分値を求める比較手段、
前記差分値をエラー情報として制御データを生成する制御データ生成手段、
前記メモリ手段及び温度取得手段から入力されたデータを基に、前記レーザ光源の許容最大入力電流値より大きなレーザ制御電流値を発生させることのないようにリミット値を生成するリミット値生成手段、及び
前記制御データと予め設定されたデータとを加算した最大レーザ制御データが、前記リミット値生成手段から入力されたリミット値を超えないように制御するデータ制限手段、
として機能させるための光ディスク装置のレーザパワー制御プログラム。
【発明の詳細な説明】
【技術分野】
【０００１】
本発明は、レーザを用いて光ディスク上に情報の記録／再生を行う光ディスク装置の技術分野に属し、特に、ＡＰＣ（Auto Power Control）方式でレーザパワーを制御する光ディスク装置におけるレーザパワー制御装置及びレーザパワー制御ブログラムに関するものである。
【背景技術】
【０００２】
光ディスク装置において、情報記録媒体であるＤＶＤ−ＲＷなどの光ディスクヘ光源であるレーザダイオードからのレーザ光を照射してデータの記録／再生動作を行う際に、ＡＰＣ（Auto Power Control）方式と呼ばれるレーザパワー制御装置（機構）が多用されている。
【０００３】
このＡＰＣ方式のレーザパワー制御装置は、温度変化等に起因して生じるレーザパワーの変動を抑制し、記録／再生モードで常に安定した最適レーザパワーを保持しようとするものである。
【０００４】
例えば、公知技術として図５に示すようなブロック構成の前記ＡＰＣ方式を一部デジタル処理化したレーザダイオード（ＬＤ）のパワー制御回路がある。
【０００５】
図５において、レーザダイオード駆動回路（以下、ＬＤ駆動回路とも称する。）１によって駆動されて発光するレーザダイオード２のレーザ光は、ビームスプリッタ３等の光学系を介して光ディスク４上に光スポットを形成する態様で照射され、その反射光が前記ビームスプリッタ３によって光検出器であるフォトダイオード（ＰＤ）５へ導かれ、前記レーザダイオード２のビームパワーが電流値として検出される。
【０００６】
そして、上記検出電流は電流−電圧変換回路（以下、Ｉ−Ｖ変換回路とも称する。）６で電圧値に変換され、サンプルホールド回路（以下、Ｓ／Ｈ回路とも称する。）７で所定パワーレベルのサンプリングを行い、ローパスフィルタ（ＬＰＦ）８でその出力値の高周波成分を除去した後、ＡＤ変換回路９で電圧平均値のデジタルデータに変換する。
【０００７】
前記電圧平均値のデジタルデータは光パワーモニター値αとして比較回路１０に出力され、前記比較回路１０では、外部入力される所定のパワー目標値βと前記光パワーモニター値αとを比較して、その差分値δを補償回路１１ヘ出力する。
【０００８】
前記補償回路１１では、入力された位相補償に係る設定値を基に前記比較回路１０から入力された差分値δを位相補償して前記ＬＤ駆動回路１に対する制御データＤapcを生成し、その制御データＤapcを予め設定されたピーク／イレースパワー設定値とともにＤＡ変換回路１２へ出力する。
【０００９】
そして、前記ＬＤ駆動回路１は、前記ＤＡ変換回路１２によって電圧値に変換後の制御信号Ｃsに基づいて前記レーザダイオード２の出力パワーを電流制御するが、前記制御データＤapcは前記差分値δを０に収束させるデータとして生成されるため、前記光パワーモニター値αは前記フィードバックループの動作によって前記パワー目標値βへ迅速に収斂し、前記レーザダイオード２の出力は前記パワー目標値βに対応するレベルへ制御される。
【００１０】
前記パワー目標値βは記録／再生モードでそれぞれ最適ビームパワーを与える値であり、通常は記録及び再生時にそれぞれ異なった値が設定される。
【００１１】
また、記録モードでは、図７のレーザパワー制御装置の動作状態を説明するための信号タイミングチャートに示されるように、変調回路１３からの変調信号ａを基にストラテジー生成回路１４でパルス化されたＯＮ／ＯＦＦ信号（イレースパワー選択信号ｂ，ピークパワー選択信号ｃ）に基づいて前記ＬＤ駆動回路１が前記レーザダイオード２を発光波形ｄのようにマルチパルスで点滅させる。
【００１２】
尚、上記のようなＡＰＣ方式のレーザパワー制御装置（機構）に関しては、各種の観点から多数の提案がなされている。
【００１３】
例えば、下記［特許文献１］には、サンプルホールド回路の動作速度を低く抑えながらレーザパワーを安定化させることができるＡＰＣ回路を具備する光ディスク装置として、レーザビームの出力をモニターする出力検出手段と、モニター信号のレベルをサンプルホールドするサンプルホールド手段と、サンプルホールドされた信号レベルと基準レベルとを比較し差分を検出する比較手段と、差分及び記録信号に応じて半導体レーザに供給する電流を制御する駆動手段と、パルス幅に応じて記録パルスをパルス列に変換するマルチパルス発生手段と、記録パルスが所定の長さのときパルス列に変換した記録パルスの中央部を非パルス部にするパルス制御手段と、記録パルスが所定の長さのときサンプルホールドのタイミングを指示するタイミング信号発生手段とを具備する構成が開示されている。
【００１４】
また、下記の［特許文献２］には、レーザダイオード（ＬＤ）保護回路として、ＬＤ電流が設定値になるように制御する自動電流制御回路を備えたＬＤ駆動部のＬＤ保護回路において、ＬＤの発光パワー或いは温度をモニターし、発光パワーが設定値以上になった場合に、又は温度が設定温度以下になった場合に自動電流制御を停止してＬＤ電流を制限し、発光パワー又は温度が設定範囲内に戻った時に自動電流制御を回復するようにするＬＤ電流制限回路を設けたＬＤ保護回路が開示されている。
【００１５】
【特許文献１】特開平１１−１３４６９２号公報
【００１６】
【特許文献２】特開平１１−１２１８５３号公報
【発明の開示】
【発明が解決しようとする課題】
【００１７】
ところで、光ディスク装置で使用されている前記レーザダイオード２は一般的に図６に示すような発光パワーと電流値の特性及び温度特性を持っている。
【００１８】
即ち、電流値Ｉがスレッショルド値Ｉthになるまでは発光せず、Ｉth以上ではリニアな特性を示す。また図６に示すような最大定格値Ｉop以上のレーザパワーで発光させた場合、前記レーザダイオード２の寿命の低下を招き、最悪の場合はレーザダイオード自体が破壊されてしまう。
【００１９】
また、前記レーザダイオート２の電流−発光パワー特性は、周辺温度によって図６に示されるように特性が変化する。即ち、温度が高温になってくるとＩth，Ｉop共に高くなり、逆に温度が低温になるとＩth，Ｉop共に低くなる。
【００２０】
通常、ある程度の周辺温度変化であれば前述のＡＰＣ方式のパワー制御で十分上記特性の変化を吸収できるが、暖かい場所で光ディスク装置を動作させた直後に低温の場所に移動してレーザを点灯させ、再生から記録への移行時に発光立ち上がりを高速化するため、フィードフォワード制御を行っているような場合には、必要以上のパワーが出射されてレーザダイオード２の破壊を起こしてしまう可能性がある。
【００２１】
上記のような問題への対策として、前記［特許文献２］のような保護回路が考えられているが、前記レーザダイオード２は個体バラツキがあり、Ｉth，Ｉopの値や、特性の傾きなども各個体によって異なる。このため、電流制限等をかけていても、レーザダイオードの交換が行われた場合などに、制限値以内であっても破壊を起こすようなパワーが出力されてしまったり、逆に最大定格値までに十分余裕があるのに制限がかけられて必要なパワーが出力されないという状態が起こりうる。
【００２２】
本発明は上記事情に鑑みてなされたものであり、ＡＰＣ（Auto Power Control）方式でレーザパワーを制御する手段を備える光ディスク装置において、レーザダイオードの特性にバラツキが存在しても、発光パワーをレーザダイオードの最大定格内に抑えつつ、温度変化にも十分に対応できるレーザパワー制御装置及びこのレーザパワー制御装置においてレーザパワー制御するためにコンピュータを各部の処理手段として機能させるためのレーザパワー制御プログラムを提供することを目的とする。
【課題を解決するための手段】
【００２３】
本発明は、レーザ光を用いて光ディスク（４）に情報の記録／再生を行う光ディスク装置におけるレーザ光源（２）の発光光量を電流値として検出する光検出手段（５）と、
前記検出電流値を電圧値に変換する電流−電圧変換手段（６）と、
前記電圧値を一定期間保持するサンプルホールド手段（７）と、
サンプルホールドされた電圧値をデジタル値に変換してレーザパワーモニター値を求めるＡＤ変換手段（９）と、
前記レーザパワーモニター値αと予め設定されたレーザパワー目標値βとを比較してその差分値δを求める比較手段（１０）と、
前記差分値δをエラー情報として制御データＤapcを生成する制御データ生成手段（１１）と、
前記制御データＤapcを電圧値に変換するＤＡ変換手段（１２）と、
前記電圧値をレーザ制御電流に変換し、前記レーザ光源（２）を駆動するレーザ光源駆動手段（１）と、を有するフィードバックループを備え、前記レーザ光源（２）の発光量を制御するレーザパワー制御装置（１８）において、
前記レーザ光源（２）の電流−光パワー特性のパラメータ又は前記電圧値をレーザ制御電流に変換するためのパラメータの少なくとも１つを予め格納しておくメモリ手段（２３）と、
前記光ディスク装置内の温度を取得する温度取得手段（２１）と、
前記メモリ手段（２３）及び温度取得手段（２１）から入力されたデータを基に、前記レーザ光源（２）の許容最大入力電流値（パルス発光時の最大定格値Ｉop-pls又は連続発光時の最大動作電流Ｉop-cw）より大きなレーザ制御電流値を発生させることのないようにリミット値Ｌを生成するリミット値生成手段（２２）と、
前記制御データＤapcと予め設定されたデータ（イレースパワー加算分のデジタルデータＤer、ピークパワー加算分のデジタルデータＤpk）とを加算した最大レーザ制御データが、前記リミット値生成手段（２２）から入力されたリミット値Ｌを超えないように制御するデータ制限手段（２０）と、
を具備することを特徴とする光ディスク装置のレーザパワー制御装置３０、を提供することにより上記課題を解決する。
【００２４】
また、上記に記載の光ディスク装置のレーザパワー制御装置３０においてレーザパワー制御するためにコンピュータ（２５）を、
前記レーザパワーモニター値αと予め設定されたレーザパワー目標値βとを比較してその差分値δを求める比較手段（１０）、
前記差分値δをエラー情報として制御データＤapcを生成する制御データ生成手段（１１）、
前記メモリ手段（２３）及び温度取得手段（２１）から入力されたデータを基に、前記レーザ光源（２）の許容最大入力電流値（Ｉop-pls又はＩop-cw）より大きなレーザ制御電流値を発生させることのないようにリミット値Ｌを生成するリミット値生成手段（２２）、及び
前記制御データＤapcと予め設定されたデータ（Ｄer、Ｄpk）とを加算した最大レーザ制御データが、前記リミット値生成手段（２２）から入力されたリミット値Ｌを超えないように制御するデータ制限手段（２０）、
として機能させるための光ディスク装置のレーザパワー制御プログラム、を提供することにより上記課題を解決する。
【００２５】
尚、上記括弧内の数字は本明細書で具体例として掲げる部材を示す符号に対応する。
【発明の効果】
【００２６】
本発明は、以上の構成を有していることにより、次のような効果を奏する。
（１）  ＡＰＣ動作を実行する光ディスク装置において、周辺温度の急激な変化によりレーザ光源の特性が変化した場合でも、レーザの最大定格を超え、レーザ破壊を引き起こすような事態を事前に防止し、且つ、特性の異なるレーザ光源が装着された場合でも、ハードウェアの変更を行うことなく最適なレーザ光源の保護を行うことができるレーザパワー制御装置を提供できる。
（２）  上記レーザパワー制御装置において、コンピュータを、レーザパワーモニター値と予め設定されたレーザパワー目標値とを比較してその差分値を求める比較手段と、前記差分値をエラー情報として制御データを生成する制御データ生成手段と、前記メモリ手段及び温度取得手段から入力されたデータを基に前記レーザ光源の許容最大入力電流値より大きなレーザ制御電流値を発生させることのないリミット値を生成するリミット値生成手段と、レーザ光源を駆動するための制御データと外部から予め設定された固定値データとを加算した最大レーザ制御データが前記リミット値生成手段から入力されたリミット値を超えないように制御するデータ制限手段、として機能させるために好適なプログラムが提供される。
【発明を実施するための最良の形態】
【００２７】
本発明に係るレーザパワー制御装置及びレーザパワー制御プログラムの実施の形態について図面に基づいて説明する。
【００２８】
図１は本発明に係るレーザパワー制御装置を含む光ディスク装置のレーザパワー制御機構のブロック構成図である。図２は本発明に係るレーザパワーの変調方法を説明するための図である。図３はマイクロコンピュータをレーザパワー制御の中枢に据えた本発明に係るレーザパワー制御装置を含む光ディスク装置のレーザパワー制御機構のブロック構成図である。図４はマイクロコンピュータをレーザパワー制御の中枢に据えた本発明に係るレーザパワー制御装置の動作手順を示すフローチャートである。
【００２９】
以下、本発明の光ディスク装置におけるレーザパワー制御装置及びその制御プログラムの実施の形態の例を図面を用いて詳細に説明する。
【００３０】
（１）第１の実施の形態例
図１に本発明に係るレーザパワー制御装置のブロック回路構成例を示す。
【００３１】
図１と前述の公知技術のレーザパワー制御装置の構成例を示す図５とを比較すれば明らかなように、本実施の形態もＡＰＣ方式の制御を行うものであり、基本的なブロック回路構成は共通している。
【００３２】
即ち、本実施の形態のレーザパワー制御装置３０では、破線枠で囲まれたデータ制限手段としてのデータ制限回路２０と、温度取得手段としての温度センサ２１と、リミット値生成手段としてのリミット値生成回路２２と、メモリ手段としてのメモリ２３（ＲＡＭなど）とが新たに設けられているが、それ以外の回路部分については図５のレーザパワー制御装置１８と同様である。
【００３３】
従って、ここでは図５と共通した部分については説明を省略することとし、専ら、本実施の形態の特徴部分である前記データ制限回路２０と、前記温度センサ２１と、前記リミット値生成回路２２と、前記メモリ２３による制御動作を中心に説明する。
【００３４】
前記温度センサ２１は光ディスク装置内部（好ましくはレーザ光源であるレーザダイオード２の近傍）の温度を一定時間間隔で測定し、温度データをリミット値生成回路２２に出力する。
【００３５】
前記メモリ２３にはレーザダイオード２のしきい値電流Ｉth、パルス発光時の最大動作電流Ｉop-pls、連続発光時の最大動作電流Ｉop-cw、及び温度が５度変化するとＩth，Ｉopがどれだけシフトするか等のＬＤ特性関連データの他、ＬＤ駆動回路１内のＶ／Ｉ変換抵抗の値や、ＤＡ変換回路１２のそれぞれＨｉｇｈ，Ｌｏｗのリファレンス電圧値等が格納されている。これらのデータは前記リミット値生成回路２２から参照される。
【００３６】
前記リミット値生成回路２２は、前記メモリ２３に格納された前述の各種データと前記温度センサ２１からの温度データに基づいて、その時点でのレーザダイオード２の光パワーレベルをデジタル数値化したリミット値Ｌを算出し、前記データ制限回路２０に出力する。
【００３７】
このリミット値Ｌは以下の式から算出する。
【００３８】
【数１】
2006209823.tif 000003
ここに、ＲはＬＤ駆動回路１のＶ／Ｉ変換抵抗値［Ω］、Ｉopはレーザダイオードの最大動作電流値［Ａ］（Ｉ連続又はパルス発光時）、ＧはＬＤ駆動回路１のゲイン、ＶＲＨはＤＡ変換回路１２のＨレベルリファレンス電圧［Ｖ］、ＶＲＬはＤＡ変換回路１２のＬレベルリファレンス電圧［Ｖ］、１０２３はＤＡ変換回路１２が１０ビットの場合のサンプリングである。
【００３９】
次に、前記データ制限回路２０における出力データの制限方法について説明する。
【００４０】
図２及び図７はデータ記録時に変調回路１３から出力された変調信号ａを基にストラテジー生成回路１４でパルス化された信号ｂ，ｃが前記ＬＤ駆動回路１で電流値に変換され、前記レーザダイオード２でレーザ光に変換される様子を図示したものであるが、図２中、ボトムパワー制御値Ｉbt、イレースパワー加算分設定値Ｉer、ピークパワー加算分設定値Ｉpkは、それぞれ前記ＤＡ変換回路１２に入力されるデジタルデータＤapc、Ｄer、ＤpkのＤＡ変換後の出力電圧値Ｖbt、Ｖer、Ｖpk（これらをまとめて制御信号Ｃｓ´と記す。）によって設定される。
【００４１】
本実施の形態では、光パワーモニター値αによるフィードバック値はＩbtに相当する。この時モニターする光パワーのレベルはボトムパワーが望ましいが、書き換え可能型の光ディスク（ＤＶＤ−ＲＷなど）に対する記録におけるボトムパワーは、図７から判るように極く短い期間しか存在せず、このレベルをＳ／Ｈすることは困難である。従って、比較的長い幅を持ったスペースに相当するイレースパワーレベルを光パワーモニター値αとしてフィードバック制御に使う（図７のＳ／Ｈパルスｅを参照）。尚、追記型の光ディスク（ＤＶＤ−Ｒなど）への記録の場合にはスペース部分に相当するパワーはボトムパワーレベルなので、Ｓ／Ｈすることは可能である。
【００４２】
次に、前記イレースパワー加算分設定値Ｉerと前記ピークパワー加算分設定値Ｉpkはそれぞれ記録するために必要なイレースパワー、ピークパワーを出すためにボトムパワー制御値Ｉbtに加算する値であり、外部から予め設定されたデータ（固定値であり、図１、図３、図５中にピーク／イレースパワー設定値と表記したデジタルデータＤer、Ｄpkに相当）である。
【００４３】
図７のタイミングチャートにおいて、変調信号ａに対してイレースパワー選択信号ｂがＨの場合は電流値Ｇx（Ｖbt＋Ｖer）／Ｒに対応するパワーが出力される。同様にピークパワー選択信号ｃがＨの場合には、電流値Ｇx（Ｖbt＋Ｖpk）／Ｒに対応するパワーが出力される。
【００４４】
データを記録する場合は電流値Ｇx（Ｖbt＋Ｖpk）／Ｒによるパワーが最も高いパワーであり、この電流値がパルス発光時の最大定格値Ｉop-plsを超えないように制御する必要がある。従って、データ制限回路２０では、Ｌ＞（Ｄapc＋Ｄpk）となるようにＤapc又はＤpkに制限をかける。なお、Ｄpkに制限をかける場合には、ピークパワーとイレースパワーの比εが所定値を保つよう、Ｄerの値も同時に制限する必要がある。
【００４５】
前述のように、リミット値Ｌは周辺温度により適切な値として与えられるので、前記データ制限回路２０で制限された制御データ（Ｄapc＋Ｄpk）を前記ＤＡ変換手段１２で電圧値に変換した後の制御信号Ｃｓ´を入力してこれをレーザ制御電流に変換しレーザダイオード２を駆動するＬＤ駆動回路１は、異なった環境の下でもレーザ光源としての前記レーザダイオード２を過剰発光させて、破壊を引き起こすことを防ぐことが可能となる。
【００４６】
尚、データ記録モードでない場合、たとえば消去モードの場合は、パルス発光はしないので、最大定格電流値は連続発光時の最大定格値Ｉop-cwとなるため、この値を超えないように同様な制御を行う。
【００４７】
また、高パワー出力しない再生時にも、同様の制限処理を行うことはもちろん可能である。
【００４８】
（２）第２の実施の形態例
前記の第１の実施の形態（図１のブロック構成）では、個々の回路ブロックからなるハードウェアの構成でレーザ光源の保護機能を備えたレーザパワー制御を実現しているが、本実施の形態では、その主要制御をマイクロコンピュータ（以下、マイコンとも称する。）に置き換えてソフトウェア的に制御を実行させるものであり、図３にその構成を示す。
【００４９】
図３と図１とを比較すれば明らかなように、本実施の形態のレーザパワー制御装置４０では、図１における比較回路１０と補償回路１１とデータ制限回路２０とリミット値生成回路２２の部分がマイコン２５で構成されているが、他の回路部分については図１の場合と同様である。
【００５０】
ここで、マイコン２５はＣＰＵ２６とＲＯＭ２７とＲＡＭ２８とＩ／Ｏポート２９を有する一般的な回路構成からなり、図１の前記各回路１０、１１、２０、２１が担っている機能の動作手順をプログラムとして前記ＲＯＭ２７に格納している。
【００５１】
そして、ＣＰＵ２６がそのプログラムを実行することにより、第１の実施の形態例のレーザパワー制御装置３０と同様の制御が行われる。
【００５２】
以下、図４のフローチャートを参照しながら本実施の形態のレーザパワー制御装置４０によるレーザパワー制御手順を説明する。
【００５３】
先ず、外部メモリ２３に格納されたＬＤ特性関連データ、Ｖ−Ｉ変換抵抗値、ＤＡ変換回路１２のＶＲＨ、ＶＲＬ、パワー設定パラメータ等を読み込み、ＲＡＭ２８に格納する（ステップＳ１）。
【００５４】
次に、当該光ディスク装置４０固有の、前記パワー設定パラメータよりＡＰＣ目標値、イレースパワー設定値及びピークパワー設定値を算出し、前記ＲＡＭ２８に格納する（ステップＳ２）。
【００５５】
続いて、先に読み込んでおいた前記ＬＤ特性関連データ、Ｖ−Ｉ変換抵抗値、ＤＡ変換回路１２のＶＲＨ、ＶＲＬからリミット値Ｌを算出し、前記ＲＡＭ２８に格納する。前記リミット値Ｌの算出方法は第１の実施の形態と同様である（ステップＳ３）。
【００５６】
パラメータの設定、格納が一通り終わったところで、レーザダイオート２をＯＮにし、そのすぐ後にＡＰＣをＯＮにする。この時、過電流によるレーザ破壊等を防ぐために、通常は再生モードで前記レーザダイオード２をＯＮ設定する（ステップＳ４）。
【００５７】
次に、ステップＳ５では終了処理の確認を行う。即ち、光ディスク装置のホストコンピュータから終了コマンドが来た場合はステップＳ１１へ進み、ＡＰＣをＯＦＦ及びレーザダイオード２をＯＦＦにした後で終了となる。終了コマンドが来ない場合はステップＳ６に進み、記録開始待ち状態になる。記録モードになった場合はステップＳ７に進み、再生モードのままであった場合はステップＳ５へ戻り、Ｓ５〜Ｓ６を繰り返す。
【００５８】
次のステップＳ７では、前記ＤＡ変換回路１２に出力するデジタルデータＤapc、Ｄer、Ｄpkのリミット確認を行う。リミット値Ｌ＞（Ｄapc＋Ｄpk）かどうかを判断し、ＹＥＳの場合はステップＳ８へ進み、リミット値制限をかけずに前記ＤＡ変換回路１２ヘ前記デジタルデータＤapc、Ｄer、Ｄpkを出力する。ＮＯの場合はステップＳ１２へ進み、Ｄapc又はＤpkに制限をかけることによってリミット処理（ＤＡ変換回路１２の出力（Ｄapc、Ｄer、Ｄpkからなる制御信号Ｃｓ´）がリミット値Ｌに相当する電圧値に固定されるように入力を制限する。）を行った上で、前記ＤＡ変換回路１２ヘ前記デジタルデータＤapc、Ｄer、Ｄpkを出力する。尚、Ｄpkに制限をかける場合には、ピークパワーとイレースパワーの比とが所定値を保つよう、Ｄerの値も同時に制限することは第１の実施の形態と同様である。
【００５９】
次のステップＳ９では、記録終了の待ち状態となる。記録終了でない場合は前記ステップＳ７ヘ戻り、リミット処理を繰り返し行う。記録終了になった場合は、ステップＳ１０ヘ進み再生モードにした後で、ステップＳ５に戻る。
【００６０】
以降、終了コマンドが来るまで、ステップＳ５〜Ｓ１０の処理が繰り返し行われ、この第２の実施の形態のレーザパワー制御装置４０においても、第１の実施の形態のレーザパワー制御装置３０と同様の機能と効果が得られる。尚、これらの処理は消去モード及び再生モードでも同様に行えることも第１の実施の形態と同様である。
【００６１】
以上のように、本発明のレーザパワー制御装置及びレーザパワー制御プログラムでは、レーザ光源の発光パワーのＡＰＣ方式による制御について、使用されている当該レーザ光源の電流−光パワー特性のパラメータ、前記電圧値をレーザ制御電流に変換するためのパラメータ、及び光ディスク装置内の温度変化に基づき、当該レーザ光源の発光パワーが現時点の状態におけるパルス発光時の最大定格値Ｉop-plsを超えないように、或いは連続発光時の最大動作電流Ｉop-cwを超えないように制限するというきめ細かなパワー制御が行われて、周辺温度の急激な変化等によりレーザ光源が過剰発光して、寿命の低下やレーザ破壊に至ることを防止する。
【００６２】
而して、従来の簡単な発光パワーのモニターによるフィードバック制御や温度変化のモニターによるＡＰＣのＯＮ／ＯＦＦ制御では到底達せられない最適なレーザ光源のパワー制御が実現するのである。
【図面の簡単な説明】
【００６３】
【図１】本発明に係るレーザパワー制御装置を含む光ディスク装置のレーザパワー制御機構のブロック構成図である。
【図２】本発明に係るレーザパワーの変調方法を説明するための図である。
【図３】マイクロコンピュータをレーザパワー制御の中枢に据えた本発明に係るレーザパワー制御装置を含む光ディスク装置のレーザパワー制御機構のブロック構成図である。
【図４】マイクロコンピュータをレーザパワー制御の中枢に据えた本発明に係るレーザパワー制御装置の動作手順を示すフローチャートである。
【図５】公知技術の光ディスク装置におけるレーザパワー制御装置のブロック構成図である。
【図６】レーザダイオードの発光パワーと電流値の特性及び温度特性を示す図である。
【図７】レーザパワー制御装置の動作状態を説明するための信号タイミングチャートである。
【符号の説明】
【００６４】
１      レーザダイオード（ＬＤ）駆動回路
２      レーザダイオード（ＬＤ）
３      ビームスプリッタ
４      光ディスク
５      フォトダイオード（ＰＤ）
６      電流−電圧変換回路（Ｉ−Ｖ変換回路）
７      サンプルホールド回路（Ｓ／Ｈ回路）
８      ローパスフィルタ（ＬＰＦ）
９      ＡＤ変換回路
１０      比較回路
１１      補償回路
１２      ＤＡ変換回路
１３      変調回路
１４      ストラテジー生成回路
１８、３０、４０    レーザパワー制御装置
２０      データ制限回路
２１      温度センサ
２２      リミット値生成回路
２３      メモリ（外部メモリ）
２５      マイクロコンピュータ
２６      ＣＰＵ
２７      ＲＯＭ
２８      ＲＡＭ
２９      Ｉ／Ｏポート
α      光パワーモニター値
β      パワー目標値
δ      差分値
Ｄapc、Ｄer、Ｄpk      制御データ（デジタルデータ）
Ｃs、Ｃs´      制御信号
Ｉth    レーザダイオードのしきい値電流
Ｉop-pls  パルス発光時の最大動作電流
Ｉop-cw  連続発光時の最大動作電流
Ｌ      リミット値
【図１】
2006209823.tif 000004
【図２】
2006209823.tif 000005
【図３】
2006209823.tif 000006
【図４】
2006209823.tif 000007
【図５】
2006209823.tif 000008
【図６】
2006209823.tif 000009
【図７】
2006209823.tif 000010